(57)【要約】【課題】検針データの表示による電力消費を低減できるガスメータを提供することを課題とする。【解決手段】ガスメータは、ガスの流量を計測する流量計測部と、流路を遮断する閉止部と、計測したさまざまなデータを表示する表示部と、現在の日時を認識するカレンダー部と、流量計測部と閉止部と表示部を制御し、カレンダー部の情報に応じて、表示部を動作させる制御部とを具備する構成とすることにより、表示部における電力消費を抑制しながら、必要時に自動的に表示させることができる。【選択図】図２
2015175817.tif 000002
【特許請求の範囲】
【請求項１】
ガスの流量を計測する流量計測手段と、流路を遮断する閉止手段と、計測したさまざまなデータを表示する表示手段と、現在の日時を認識するカレンダー手段と、前記流量計測手段と前記閉止手段と前記表示手段を制御し、前記カレンダー手段の情報に応じて、前記表示手段を動作させる制御手段とを具備するガスメータ。
【請求項２】
前記制御手段は、前記カレンダー手段からの情報により、毎月、所定期間だけ前記表示手段を動作させることを特徴とした請求項１記載のガスメータ。
【請求項３】
前記制御手段は、前記所定期間を任意に設定変更可能とした請求項２記載のガスメータ。
【請求項４】
前記制御手段は、前記閉止手段により前記流路が遮断された場合に、前記表示手段を動作させることを特徴とした請求項１記載のガスメータ。
【請求項５】
前記制御手段は、前記閉止手段を開放側へ復帰させる場合、復帰が完了するまで前記表示手段の動作を継続することを特徴とした請求項４記載のガスメータ。
【請求項６】
前記制御手段に信号を送信可能な外部機器を設け、前記外部機器からの信号に基づいて前記表示手段の表示・非表示を設定可能とした請求項１から５のいずれか１項に記載のガスメータ。
【発明の詳細な説明】
【技術分野】
【０００１】
本発明は、ガスの使用量を計るガスメータに関するものである。
【背景技術】
【０００２】
近年、ガスの使用量を計るガスメータにおいては、表示機能を持ちさまざまなデータを表示している。しかしながら、表示機能を常時表示していると電力を消費するため、通常は表示をせず、表示開始のための信号を入力することにより表示を開始する技術が開示されている（特許文献１）。
【先行技術文献】
【特許文献】
【０００３】
【特許文献１】特開２００１−１５９５５２号公報
【発明の概要】
【発明が解決しようとする課題】
【０００４】
しかしながら、前記従来技術によるガスメータでは、表示を開始するためには、人が何らかの操作をしなければならないという課題があった。
【０００５】
本発明は、前記従来の課題を解決するもので、ガスの使用量を計り、表示機能でデータを表示するガスメータにおいて、必要時に自動的に表示可能なガスメータを提供することを目的とする。
【課題を解決するための手段】
【０００６】
本発明のガスメータは、ガスの流量を計測する流量計測部と、ガスの流れる流路を遮断する閉止部と、計測したさまざまなデータを表示する表示部と、現在の日時を認識するカレンダー部と、前記流量計測部と前記閉止部と前記表示部を制御し、前記カレンダー部の情報に応じて、前記表示部を動作させる制御部とを具備する。
【発明の効果】
【０００７】
本発明のガスメータを用いることにより、表示部における電力消費を抑制しながら、必要時に自動的に表示させることができる。
【図面の簡単な説明】
【０００８】
【図１】本発明の実施の形態におけるガスメータの基本的な概略構成図
【図２】同ガスメータの表示部の制御動作例を示すフローチャート
【図３】同ガスメータの流路遮断時の表示部の制御動作例を示すフローチャート
【発明を実施するための形態】
【０００９】
第１の発明は、ガスの流量を計測する流量計測手段と、流路を遮断する閉止手段と、計測したさまざまなデータを表示する表示手段と、現在の日時を認識するカレンダー手段と、前記流量計測手段と前記閉止手段と前記表示手段を制御し、前記カレンダー手段の情報に応じて、前記表示手段を動作させる制御手段とを具備するものである。
【００１０】
この構成とすることにより、表示部での電力消費を抑制しながら、必要なときに自動的に表示部に表示させることができる。
【００１１】
第２の発明は、特に、第１の発明において、前記制御手段は、前記カレンダー手段から
の情報により、毎月、所定期間だけ前記表示手段を動作させることを特徴とするものである。
【００１２】
この構成とすることにより、検針員は、例えば、メータが何らかのスイッチを押すことができないような場所に設置されていたとしても、検針を実施する時には表示部に表示されているため、常時表示を行う機器と同様に表示内容を確認することが可能となり、また、電力消費を抑制することができる。
【００１３】
第３の発明は、特に、第２の発明において、前記制御手段は、前記所定期間を任意に設定変更可能とするものである。
【００１４】
この構成により、検針員は、あたかも常時表示しているかのように不便を感じることなく、表示部への駆動電流を削減することができる。
【００１５】
第４の発明は、特に、第１の発明において、前記制御手段は、前記閉止手段により前記流路が遮断された場合に、前記表示手段を動作させることを特徴とするものである。
【００１６】
この構成により、ガスメータの異常発生作等を常時表示する機器と同様に表示部に表示させることができるとともに電力消費を抑制することができる。
【００１７】
第５の発明は、特に、第４の発明において、前記制御手段は、前記閉止手段を開放側へ復帰させる場合、復帰が完了するまで前記表示手段の動作を継続することを特徴とするものである。
【００１８】
この構成により、ガスメータの異常発生作等を常時表示する機器と同様に表示部に表示させることができるとともに電力消費を抑制することができる。
【００１９】
第６の発明は、特に、第１から第５の発明において、前記制御手段に信号を送信可能な外部機器を設け、前記外部機器からの信号に基づいて前記表示手段の表示・非表示を設定可能とするものである。
【００２０】
この構成により、無線アダプタ等を接続した別のデータ取得方法で検針が可能な場合、表示部の表示を実施する必要がなくなるため、表示させない設定とすることで、表示部で使用していた駆動電流を全て削減することができ、消費電力を抑制することができる。
【００２１】
以下、本発明の実施の形態を図面に基づいて説明する。尚、この実施の形態によって本発明が限定されるものではなく、同様の分野における類似の用語または類似の描写を用いて表現することが可能であることは、当業者において容易に理解されるであろう。
【００２２】
図１は、本発明におけるガスメータ１の基本的な概略構成図である。
【００２３】
図１において、ガスメータ１は、ガスの流量を計測する流量計測部２と、流路３を閉止する閉止部４と、現在の日時を認識するカレンダー部５と、計測したさまざまなデータを表示する表示部６と、流量計測部２、閉止部４、カレンダー部５、表示部６を制御する制御部７とを具備する。
【００２４】
流量計測部２は、流路３を通過するガスの流量を随時測定し、制御部７へデータとして出力する。制御部７では、流量計測部２からのデータを積算し、想定値より遥かに多い場合等、異常と判断した場合には、閉止部４を閉止し、流路３を流れるガスを止める。また、制御部７は、流量データ積算値や、閉止部４の閉止状態等、ガスメータ１内のデータ情
報を必要に応じて表示部６に表示したり、記憶する。
【００２５】
カレンダー部５は、現在の日時を常時認識しており、制御部７からその情報提出の要求があった場合には、制御部７へ都度情報を送信する。制御部７には、カレンダー設定期間が設定されており、カレンダー設定期間として、あらかじめ所定の日時における所定の設定期間が設定されている。例えば、検針作業を実施する日にちと、検針時間が設定される。検針時間としては、所定期間、例えば、９時から１７時が設定される。
【００２６】
図２は、本発明に係るガスメータ１における表示部６の制御動作の例を示すフローチャートである。
【００２７】
図２に示すように、まず、カレンダー部５より制御部７へ現在の日時データが送信される（Ｓ１）。制御部７は、受信した現在の日時データがあらかじめ設定記憶されたカレンダー設定期間内であるかどうか判定する（Ｓ２）。
【００２８】
期間内でなければ、期間内になるまで判定を繰り返し、期間内になれば表示部６にガスの利用量を表示させる（Ｓ３）。
【００２９】
表示部６が点灯して以降、再度、制御部７はカレンダー部５からの日時データを受信し（Ｓ４）、日時データがあらかじめ設定記憶されたカレンダー設定期間外であるかどうか判定する（Ｓ５）。
【００３０】
期間外でなければ、期間外になるまで判定を繰り返し、期間外であれば表示部６を消灯する（Ｓ６）。
【００３１】
尚、設定期間は、日にちだけの判定でも良いし、時刻だけの判定でも良い。また、曜日を判定条件にしても良いし、日時と曜日の組み合わせでも良い。
【００３２】
構成においては、カレンダー部を制御部に取り込んでも良いし、設定期間を記憶している制御部内の記憶領域を制御部から切り離し、独立した記憶部としてもよい。
【００３３】
これにより、検針作業を実施する検針員は、例えば、メータが何らかのスイッチを押すことができない様な場所に設置されていたとしても、検針を実施する時には表示部６が表示している為、表示部を常時表示する機器と同じ様に表示内容を確認することが可能であり、且つ、機器としては電力消費を抑えることができる。
【００３４】
（実施の形態２）
以下に、本発明のガスメータ１における所定期間について説明する。
【００３５】
通常、ガスの使用状態を確認する検針作業は、月に一度のペースで実施され、次の検針までの間隔も一定である。その為、毎月のカレンダーの中で、検針作業が実施される日を一度決めれば、毎月同じ日に検針されることになる。
【００３６】
従って、検針日に合わせて表示部６に表示する様に設定することにより（図示せず）、検針作業を実施する人間は、あたかも常時表示しているかの様に不便を感じることなく、表示部６への駆動電流を削減することができる。
【００３７】
（実施の形態３）
以下に、本発明のガスメータ１における所定期間の変更について説明する。
【００３８】
ガスの使用状態を確認する検針作業は、月に一度のペースで実施されるが、月によっては、３１日であったり、２８日であったり、また、検針員の業務都合により必ず３０日毎にならない場合もある。その為、検針日の若干のズレを考慮し、表示部６の表示期間を予定検針日の前後数日を含めた期間に変更可能とする。また、表示部６の表示期間を数日にした場合、表示時間を検針作業が行われる時間帯のみに設定し、検針作業が行われない夜間等の時間帯には消灯させることも可能である。
【００３９】
具体的には、ガスメータ１において、制御部７と外部機器が通信接続可能な接続部（図示はしない）を設け、外部機器が接続部を介して、制御部７が記憶している表示部６の表示期間の設定を変更可能とする。
【００４０】
これにより、検針予定日が予定より少し前後したとしても、検針作業を実施する人間は、あたかも常時表示しているかのように不便を感じることなく、表示部６への駆動電流を削減することができる。
【００４１】
（実施の形態４）
以下に、本発明のガスメータ１における閉止部４による閉止動作中の表示部６の表示動作について説明する。
【００４２】
図３は、本発明におけるガスメータ１の流路遮断時の表示部の制御動作例を示すフローチャートである。
【００４３】
図３に示すように、制御部７は、受信した現在の日時データがあらかじめ設定記憶されたカレンダー設定期間内であるかどうか判定する（Ｓ２）。
【００４４】
期間内でなければ、次に閉止部４が動作しているか判定する（Ｓ７）。閉止部４が動作していなければ、カレンダー部５から制御部７への情報送信（Ｓ１）にまで戻ってカレンダー設定期間の判定（Ｓ２）から繰り返す。
【００４５】
期間内でなく、また閉止部４が動作していると判定された場合（Ｓ７）、表示部６に閉止中であることを表示する（Ｓ８）。
【００４６】
表示部６に表示して以降、制御部７は閉止部４の閉止動作が解除されたかどうか判定する（Ｓ９）。
【００４７】
閉止動作が解除されていなければ、解除されるまで判定を繰り返し、解除されれば表示部６を消灯する（Ｓ１０）。
【００４８】
尚、閉止部の動作ではなく、別の状態変化及び異常発生に応じて表示部６に状態を表示させるようにしても良い。
【００４９】
これにより、通常の検針作業のタイミングでない場合であっても、ガスメータ１の状態変化及び異常発生等を表示部６に常時表示している機器と同じように確認することが可能であり、且つ、機器としては電力消費を抑えることができる。
【００５０】
（実施の形態５）
以下に、本発明のガスメータ１における閉止部４の復帰動作中の表示部６の表示動作について説明する。
【００５１】
通常、ガスメータ１の閉止部４が何らかの要因により閉止した場合、復帰時にその要因
が完全に取り除かれているかどうかを判定するため、一定時間、確認動作を実施し、その後完全復帰させる。
【００５２】
そのために、閉止部４が閉止動作をしている時だけでなく、復帰した後も確認動作中は表示部６の表示を継続し、完全復帰後に消灯させる。
【００５３】
これにより、通常の検針作業のタイミングでない場合であっても、ガスメータ１の状態変化及び異常発生、復帰動作等を表示部６に常時表示している機器と同じように確認することが可能であり、且つ、機器としては電力消費を抑えることができる。
【００５４】
尚、作業者が復帰を確実に確認しやすいように、完全復帰後、すぐに消灯するのではなく、一定時間経過後に消灯するようにしても良い。
【００５５】
（実施の形態６）
以下に、本発明のガスメータ１における表示手段の設定変更機能について説明する。
【００５６】
ガスメータ１において、制御部７と外部機器が通信接続可能な接続部（図示はしない）を設け、外部機器が接続部を介して、制御部７が表示部６の表示・非表示の設定変更を可能とする。
【００５７】
これにより、無線アダプタ等を接続したデータ取得装置で検針が可能な場合、表示部６の表示を行なう必要がなくなるため、表示部６に表示させない設定とすることで、表示部６で使用していた駆動電流を全て削減することができる。
【産業上の利用可能性】
【００５８】
本発明は、利便性の高い流量計測装置を提供でき、ガスメータ以外にも、例えば、電気の使用量を計る電力量メータ、水の使用量を計る水道メータ、または、熱の使用量を計る熱メータ等、いわゆるユーティリティの使用量を計るメータ全般に適用可能である。
【符号の説明】
【００５９】
１  ガスメータ
２  流量計測部
３  流路
４  閉止部
５  カレンダー部
６  表示部
７  制御部
【図１】
2015175817.tif 000003
【図２】
2015175817.tif 000004
【図３】
2015175817.tif 000005